(57)【要約】【課題】酒の保存が確実に行なえ、しかも升酒が手軽に飲める収容容器を提供する。【解決手段】上部が開口する升状の外容器と、この外容器内に嵌め込み可能な内容器とから成り、外容器は厚肉のヒノキの板材から形成され、内容器は、酒類を収容可能な容器本体と、容器本体の上部開口を密閉するための蓋とからなり、蓋は、紫外線を通さないアルミ箔から形成されている。【選択図】  図３
2004359245.tif 000002
【特許請求の範囲】
【請求項１】
上部が開口する升状の外容器と、この外容器内に嵌め込み可能な内容器とから成り、外容器は厚肉の木材から形成され、内容器は、酒類を収容可能な容器本体と、容器本体の上部開口を密閉するための蓋とからなり、蓋は、紫外線を通さない材料から形成されていることを特徴とする酒類の収容保存容器。
【請求項２】
容器本体の上部開口には、フランジが突設され、外容器内に内容器を嵌め込むに伴い、前記フランジが外容器の周囲の上面を覆うようにしていることを特徴とする請求項１に記載の酒類の収容保存容器。
【発明の詳細な説明】
【０００１】
【発明の属する技術分野】
本発明は、主として日本酒を収容保存する容器に関し、結婚式場や祝賀会会場等で乾杯する際に乾杯用容器としても利用することが可能としたものである。
【０００２】
【従来の技術】
従来、酒類は、瓶や紙製の収容パックに入れられて保管ないし搬送されるのが一般的である。
【０００３】
しかしながら瓶の容器は、搬送時に割れ易いし、また保温機能も極めて低いものである。
【０００４】
また紙製の収容パックに酒類を入れたものも最近見受けられるが、紙製のパックは破れ易く、保温機能も瓶と同様、極めて低いものである。
【０００５】
【発明が解決しようとする課題】
ところで、例えば各種祝賀会などにおいて、祝賀会を盛り上げるために、その当事者や参加者などの多数の人々と共に酒樽の鏡割りをして、酒樽から酒を升に注いで、乾杯をするのが恒例となっているが、酒樽の酒を注いだ升を多数の人に配るのは時間と手間を要するのは勿論のこと、升を配る際に、升の酒がこぼれて衣服を汚したり、あるいは塵などが酒に入る不具合もある。
【０００６】
以上の不具合に対しては、例えば升に酒を直接入れて、その開口を蓋で密封したものを作成しておく方法も考えられるが、升が木製であると、酒が漏れることがあるので、酒を入れたまま長期間保存することが困難であり、そのため、升の内面に酒が漏れるのを防止するためのシール材をコーティングするなどの加工が必要となり、升特有の木の香りを損ねる不具合がある。
【０００７】
また酒が漏れるのを防止すべく、升を合成樹脂材料から形成した場合には、木の香りが全く出ず、升酒の不雰囲気を壊しかねない。
【０００８】
本発明は以上の実情に鑑みて開発されてもので、目的とするところは、酒の保存が確実に行なえ、しかも升酒が手軽に飲める収容容器を提供するにある。
【０００９】
【課題を解決するための手段】
前記した目的を達成するために、請求項１に記載の発明は、上部が開口する升状の外容器と、この外容器内に嵌め込み可能な内容器とから成り、外容器は厚肉の木材から形成され、内容器は、酒類を収容可能な容器本体と、容器本体の上部開口を密閉するための蓋とからなり、蓋は、紫外線を通さない材料から形成されていることを特徴とするものである。
【００１０】
また請求項２に記載の発明は、請求項１に記載の酒類の収容容器において、容器本体の上部開口にはフランジが突設され、外容器内に内容器を嵌め込むに伴い、前記フランジが外容器の周囲上面を覆うようにしていることを特徴とするものである。
【００１１】
【発明の実施の形態】
以下、本発明の実施形態について図面を参照しながら説明する。
【００１２】
図１は、本発明の収容保存容器の一実施形態を示したものであって、この保存容器１は、上部が開口する升状の外容器２と、この外容器２内に嵌合可能な内容器３とから構成されている。
外容器２は、既存の一合升と同一の形をしたものであって、厚さ１ｃｍのヒノキの板材から形成されている
この外容器２は、底板２１と、この底板２１の周囲を囲む４枚の側板２２からなり、側板２２の左右両端部に石畳み継ぎ方式の継合部２３を設けて、この継合部２３を介して４枚の側板２２の左右両端部を互いに結合すると共に、角筒状に組まれた４枚の側板２２の下面を底板２１の周縁部上面に接着剤により固着して、升状に形成している。
【００１３】
内容器３は、酒類を収容可能な容器本体４と、容器本体４の上部開口４０を密閉するための蓋５とから構成されている。
【００１４】
容器本体４は、外容器２内に嵌合可能な箱型に形成され、その上部開口４０の周縁には、フランジ４１が一体形成されている。
【００１５】
フランジ４１は、図１にも示すように、容器本体４を外容器２内に嵌合させた時、外容器２における側板２２の上面を覆う形に形成されている。
【００１６】
尚、この容器本体４は、透明の合成樹脂材料から形成されている。
【００１７】
また蓋５は、不透明のアルミ箔の表面に樹脂フィルムを貼り付けたものであって、蓋５は紫外線を通さないものとなっている。
【００１８】
以上の構成から成る収容保存容器１にあっては、容器本体４に所定量の日本酒を充填した上で、容器本体４のフランジ４１上に蓋５の周縁部を溶着させることで、容器本体４の上部開口４０を蓋５で密閉する。
【００１９】
そして日本酒を充填した内容器３を外容器２内に嵌め込んで、フランジ４１により、外容器２を構成する側板２２の上面、換言すれば、酒の飲み口となる部分を保護した上で、外容器２全体をシュリンク材で包装する。
【００２０】
斯くして容器本体４に入れられた日本酒は外容器２と蓋５とで、紫外線から保護されるのであって、また木から形成された外容器２が断熱性に優れた木から構成されているので、容器本体４内の日本酒の温度変化も少ないのであって、従って全体として、日本酒の品質低下を招く虞が少なく長期にわたって日本酒を保存することが出来るし、しかも外容器２が木製であるので、搬送時などにおいて、容器が瓶や紙パックのように破損したりすることがない。
【００２１】
一方、例えば祝賀会などにおいては、前述の日本酒を入れた収容保存容器１を参加者に予め配っておくのであって、そして例えば升酒で乾杯するに際しては、各自が、外容器２から内容器３を取り出して、蓋５を容器本体４から外した上で、容器本体４内の日本酒を升状の外容器２に移しかえるだけで、升酒が準備出来て、スムーズに升酒による乾杯を行なうことが出来るし、しかもヒノキの香りを味わいながら、日本酒を飲むことが出来るのである。
【００２２】
以上の実施形態では、容器本体４に日本酒を入れたが、これに限定されるものではなく、例えばワインを入れてもよい。
【００２３】
また以上の実施形態では、外容器をひのきの板材から形成したが、これに限定されるものではなく、例えば杉の板材から形成してもよい。
【００２４】
また以上の実施形態では、内容器３を構成する容器本体４を透明の合成樹脂材料から形成したが、これに限定されるものではなく、例えば蓋５と同様に、不透明のアルミ箔の表面に樹脂フィルムを貼り付けた材料から形成してもよい。
【００２５】
【発明の効果】
以上説明したように、請求項１に記載の発明によれば、上部が開口する升状の外容器と、この外容器内に嵌め込み可能な内容器とから成り、外容器は厚肉の木材から形成され、内容器は、酒類を収容可能な容器本体と、容器本体の上部開口を密閉するための蓋とからなり、蓋は、紫外線を通さない材料から形成されていることにより、容器本体内に入れられる例えば日本酒などを長期にわたって安定的に保存することが出来、しかも内容器から外容器に酒を移しかえるだけで、升酒を手軽に飲むことが出来る。
【００２６】
また請求項２に記載の発明によれば、請求項１に記載の酒類の収容容器において、容器本体の上部開口にはフランジが突設され、外容器内に内容器を嵌め込むに伴い、前記フランジが外容器の周囲上面を覆うようにしたことにより、請求項１に記載の発明の効果に加えて、升酒を飲む際の升として利用される外容器ののみ口部分をフランジで保護することが出来る。
【図面の簡単な説明】
【図１】本発明にかかる収容保存容器の一実施形態を示す分解斜視図。
【図２】本発明にかかる収容保存容器の一実施形態を示す斜視図。
【図３】同、断面図。
【図４】同、容器本体内の酒を外容器に注ぎかえる状況を示す概略斜視図。
【符号の説明】
１      収容保存容器
２      外容器
３      内容器
４      容器本体
４０    上部開口
４１    フランジ
５      蓋
【図１】
2004359245.tif 000003
【図２】
2004359245.tif 000004
【図３】
2004359245.tif 000005
【図４】
2004359245.tif 000006